(57)【要約】【課題】  高いデザイン性のある外観を備えることができると共に本体部の水密性を損なうことなくユーザーの電池交換作業を可能にし、更には、この電池交換作業の作業性も向上させた電気かみそり器を提供する。【解決手段】  本体ハウジング７を構成せる一対の半体ハウジング８，９を合わせたときに本体ハウジング７の内部に水密的に密閉された本体部収納室１３を形成する。本体部収納室１３内に少なくともモータ６を駆動させるための回路部４を収納する。半体ハウジング９の外側から内方に凹設された電池収納凹所５０内に電池３を収納する。電池収納凹所５０の開口５０ａを水密的に閉じる蓋体５５を着脱自在に被着する。【選択図】        図１
2005177284.tif 000002
【特許請求の範囲】
【請求項１】
本体ハウジングを構成せる一対の半体ハウジングを合わせたときに本体ハウジングの内部に水密的に密閉された本体部収納室を形成し、この本体部収納室内に少なくともモータを駆動させるための回路部を収納し、半体ハウジングの外側から内方に凹設された電池収納凹所内に電池を収納すると共に、この電池収納凹所の開口を水密的に閉じる蓋体を着脱自在に被着したことを特徴とする電気かみそり器。
【請求項２】
電池を内包した電池ケースに電池の電極に接続した電池側接続端子を設けると共に、回路部に接続した本体側接続端子を電池収納凹所内に配置し、電池収納凹所内に電池を収納したときに電池側接続端子と本体側接続端子とを連結保持したことを特徴とする請求項１記載の電気かみそり器。
【請求項３】
電池収納凹所からの電池の取外しを補助する取外し支援手段を備えたことを特徴とする請求項１または２記載の電気かみそり器。
【請求項４】
指を引掛ける引掛け突起を取外し支援手段として電池を内包した電池ケースに一体に設け、電池収納凹所内に電池を収納したときに引掛け突起を電池収納凹所の開口に臨むように位置させたことを特徴とする請求項３記載の電気かみそり器。
【請求項５】
取外し支援手段としての取外し支援部材を、使用者が操作する操作部とこの操作部に加えた使用者の力を増幅して電池に働かせる作用部とを備えて構成し、この取外し支援部材を電池と電池収納凹所との間に介装し、取外し支援部材の操作部を電池収納凹所の開口に臨むように位置させると共に、取外し支援部材の作用部を電池収納凹所の奥部に位置させたことを特徴とする請求項３記載の電気かみそり器。
【発明の詳細な説明】
【技術分野】
【０００１】
本発明は、電気かみそり器に関し、詳しくは、電気かみそり器への電池の収納技術に関するものである。
【背景技術】
【０００２】
従来から、防水が施された電気かみそり器は、一般的に水密的に形成された本体部内に蓄電池を内装しており、本体部外に突設した充電用プラグに充電器を接続して蓄電池に充電をし、蓄電池同様に本体部内に内装された回路部を介して蓄電池でモータなどの駆動部品を駆動させるようにしている（たとえば、特許文献１参照）。つまり、モータの駆動源に蓄電池を用いたことで電池を交換することなく継続して使用できることから、電気かみそり器の水密構造の確保がされている。しかしながら、電気かみそり器は日々頻繁に使用され蓄電池にも寿命は有ることから、蓄電池の交換は必要不可欠であるが、上述したように防水が施された一般的な電気かみそり器は蓄電池が本体部内に一体に内装してあるから、蓄電池の交換はユーザーでは行えず、利便性が悪いものであった。また、無理矢理ユーザーが蓄電池の交換を行おうとすれば、本体部を分解・組立をすることとなり、本体部の水密構造を破壊してしまう恐れも有り、最悪、水密構造が破壊された本体部内に水が侵入して回路部などを破壊してしまうことも考えられる。
【０００３】
また、特許文献１の電気かみそり器は、図１２のように一体に成形された筒状の外殻ハウジング６３にて本体部１の外殻を形成し、この外殻ハウジング６３の内部にモータ等の駆動部品、回路部、蓄電池である電池３を内装して構成されている。つまり、この電気かみそり器では、本体部１の防水のために、一体に成形された筒状の外殻ハウジング６３を採用しているのであるが、筒状の一体成形品は成形金型の型抜き等の成形技術上の制約が多く、つまり外殻ハウジング６３の形状の自由度は小さく、高いデザイン性のある外観を得ることは困難であった。
【特許文献１】特開２００２−１０２５５３号公報
【発明の開示】
【発明が解決しようとする課題】
【０００４】
本発明は上記の従来の問題点に鑑みて発明したものであって、高いデザイン性のある外観を備えることができると共に本体部の水密性を損なうことなくユーザーの電池交換作業を可能にし、更には、この電池交換作業の作業性も向上させた電気かみそり器を提供することを課題とするものである。
【課題を解決するための手段】
【０００５】
上記課題を解決するために本発明の請求項１に係る電気かみそり器は、本体ハウジング７を構成せる一対の半体ハウジング８，９を合わせたときに本体ハウジング７の内部に水密的に密閉された本体部収納室１３を形成し、この本体部収納室１３内に少なくともモータ６を駆動させるための回路部４を収納し、半体ハウジング９の外側から内方に凹設された電池収納凹所５０内に電池３を収納すると共に、この電池収納凹所５０の開口５０ａを水密的に閉じる蓋体５５を着脱自在に被着したことを特徴とする。これによると、一対の半体ハウジング８，９を合わせることで本体ハウジング７を形成したので、筒状の一体成形品で構成した本体ハウジング７に比べて成形技術上の制約を受けることが少なく、したがって本体ハウジング７の形状の自由度を得ることができて電気かみそり器の外観に高いデザイン性を備えることができる。また、電池３を収納する電池収納凹所５０の開口５０ａを水密的に閉じる蓋体５５を着脱自在に被着したので、電池交換の際には蓋体５５を外せばよくて本体ハウジング７の分解作業は伴わないために本体部収納室１３の水密性は維持されるのであり、つまり本体部収納室１３に収納した回路部４などの浸水による破壊を回避しながらもユーザによる電池交換を可能にできる。
【０００６】
また、請求項２に係る電気かみそり器は、請求項１において、電池３を内包した電池ケース４９に電池３の電極３ａに接続した電池側接続金具４８を設けると共に、回路部４に接続した本体側接続金具５１を電池収納凹所５０内に配置し、電池収納凹所５０内に電池３を収納したときに電池側接続金具４８と本体側接続金具５１とを連結保持したことを特徴とする。これによると、電池３と回路部４との電気的接続が電池ケース４９の電池側接続金具４８と電池収納凹所５０内の本体側接続金具５１との接続にて行われるので、電池側接続金具４８及び本体側接続金具５１を専用品で構成することができ、つまり他の類似の電池３を電池収納凹所５０内に挿入しても回路部４への通電がされないようにできるのであって、電圧の異なる他の電池３によって回路部４を破壊してしまう恐れを回避できる。また、電池収納凹所５０内に電池３を収納したときに電池側接続金具４８と本体側接続金具５１とを連結保持したので、電池３の電池収納凹所５０内への収納強度（取付強度）を向上できる。
【０００７】
また、請求項３に係る電気かみそり器は、請求項１または２において、電池収納凹所５０からの電池３の取外しを補助する取外し支援手段を備えたことを特徴とする。これによると、取外し支援手段によって電池収納凹所５０からの電池３の取外しを容易に行わせることができ、つまり電池交換作業の作業性を向上させて電気かみそり器の使い勝手を向上できる。殊に、請求項２のように電池３の電池収納凹所５０内への収納強度（取付強度）を向上させた電気かみそり器にあっては、電池交換作業の作業性を顕著に向上できる。
【０００８】
また、請求項４に係る電気かみそり器は、請求項３において、指を引掛ける引掛け突起５７を取外し支援手段として電池３を内包した電池ケース４９に一体に設け、電池収納凹所５０内に電池３を収納したときに引掛け突起５７を電池収納凹所５０の開口５０ａに臨むように位置させたことを特徴とする。これによると、電池ケース４９に一体に引掛け突起５７を形成させるといった簡単な構成で、電池収納凹所５０からの電池３の取外しを容易に行わせることができ、つまり電池交換作業の作業性を向上させて電気かみそり器の使い勝手を向上できる。
【０００９】
また、請求項５に係る電気かみそり器は、請求項３において、取外し支援手段としての取外し支援部材５８を、使用者が操作する操作部６１とこの操作部６１に加えた使用者の力を増幅して電池３に働かせる作用部６２とを備えて構成し、この取外し支援部材５８を電池３と電池収納凹所５０との間に配置し、取外し支援部材５８の操作部６１を電池収納凹所５０の開口５０ａに臨むように位置させると共に、取外し支援部材５８の作用部６２を電池収納凹所５０の奥部に位置させたことを特徴とする。これによると、電池３と電池収納凹所５０との間に取外し支援手段としての取外し支援部材５８を配置し、この取外し支援部材５８は操作部６１への小さい力を作用部６２での大きい力に変換して電池３に働かせることができるから、簡単な構成で且つ小さな力で、電池収納凹所５０からの電池３の取外しを容易に行わせることができ、つまり電池交換作業の作業性を向上させて電気かみそり器の使い勝手を向上できる。
【発明の効果】
【００１０】
本発明は、一対の半体ハウジングを合わせることで本体ハウジングを形成したので、筒状の一体成形品で構成した本体ハウジングに比べて成形技術上の制約を受けることが少なく、したがって本体ハウジングの形状の自由度を得ることができて電気かみそり器の外観に高いデザイン性を備えることができるといった効果を有し、更に、電池を収納する電池収納凹所の開口を水密的に閉じる蓋体を着脱自在に被着したので、電池交換の際には蓋体を外せばよくて本体ハウジングの分解作業は伴わないために本体部収納室の水密性は維持されるのであり、つまり本体部収納室に収納した回路部などの浸水による破壊を回避しながらもユーザによる電池交換を可能にできるといった効果を有する。
【発明を実施するための最良の形態】
【００１１】
図１〜８に本発明の実施の形態の例の電気かみそり器を示す。図２，３のように電気かみそり器は本体部１の先端にヘッド部２を備えて構成される。本体部１には電池３や回路部４が内装され、ヘッド部２にはユーザーの髭を切断する切断刃５やモータ６などの駆動部が内装されている。この電気かみそり器の使用に際しては、本体部１を使用者が把持し、ヘッド部２の先端をユーザーの髭の生える皮膚に当てるようにして使用される。なお、本明細書では、便宜上、本体部１に対してヘッド部２が位置する方向を先端方向と称し（図２矢印ａ）、その反対側の方向を基端方向と称し（図２矢印ｂ）、また、先端−基端方向ａ，ｂに対して直交する一方の方向を左右方向と称し（図２矢印ｃ）、他方の方向を前後方向と称し（図２矢印ｄ，ｅ）て説明をしていく。詳しくは、上記左右方向ｃは後述する内刃３９の摺動方向であり、前後方向ｄ，ｅは上記先端−基端方向ａ，ｂ及び左右方向ｃに対して直交する方向であり、ｄは前方、ｅは後方である。
【００１２】
図１のように、本体部１の外殻となる本体ハウジング７は一対の半体ハウジングから構成される。この一対の半体ハウジングとは、具体的には、本体部１の前部を構成する前部ハウジング８、本体部１の後部を構成する後部ハウジング９である。後述するが、前部ハウジング８にはスイッチ釦１９が取付けられ、後部ハウジング９には駆動部の駆動源となる電池３を収納する電池収納凹所５０が形成されている。この前部ハウジング８と後部ハウジング９とはＯリング１０を挟み込んだ状態で前後方向ｄ，ｅに合わされ、前後の両部ハウジング８，９を締結するネジ１１をＯリング１２を噛ませて締め付けることで本体ハウジング７を水密的に形成している。この前部ハウジング８と後部ハウジング９とを合わせたとき本体ハウジング７の内部には水密的に密閉された中空状の本体部収納室１３が形成される。なお、図７，８のように、上記ネジ１１は後部ハウジング９の電池収納凹所５０の底面に穿孔した孔１１ａから前方ｄに打入されている。
【００１３】
このように、本体部１は内部に本体部収納室１３といったいわゆる中空部位を有する構造にされているが、本体部１の外殻となる本体ハウジング７は別々に成形された前部ハウジング８と後部ハウジング９とを一体化させて形成させ、このとき合わせた前部ハウジング８と後部ハウジング９とで中空部位である本体部収納室１３を形成するようにしているので、一体成形品で構成した本体ハウジング７に比べて成形技術に係る制約が少なく、本体部１の外殻形状を様々な形状に施すことが可能とされている。つまり、本体ハウジング７の形状の自由度を得ることができて電気かみそり器の外観に高いデザイン性を備えることが可能とされているのである。なお、本例の本体部１の外殻形状は、図２のように、その全体形状としては先端―基端方向ａ，ｂに長い大略棒状ではあるが、詳しくは長手方向の中央部での断面が最も大きいといった紡錘形に近い棒形状であり、本体部１の先端に近い部位では本体部１の内方にえぐれた凹面部１４が形成され、この凹面部１４に連続した本体部１の先端側では全体がゆるやかに前方ｄに向かうような傾斜部１５が形成されており、ユーザーが持ち易く且つデザイン性に優れた形状に施されている。
【００１４】
ここで、凹面部１４を構成する前部ハウジング８の部位には前後に貫通するスイッチ挿通孔１６が穿孔されている。このスイッチ挿通孔１６は上記本体部収納室１３に開口しているが、このスイッチ挿通孔１６にはリング状のスイッチ押え板１７が円盤状のスイッチ防水ゴム１８を挟み込んで防水が施されて溶着され、スイッチ防水ゴム１８の外側には電気かみそり器のオンオフ等の駆動を切り替えるスイッチ釦１９が取付けられている。ここで、本体部１の内部に水密的に形成された上記本体部収納室１３には、駆動部を駆動制御する回路部４と、この基板状の回路部４を保持する保持基台２０とが収納されている。詳しくは、この回路部４は、電池３及びモータ６への電気的接続が為され、上記スイッチ押え板１７の後方ｅに重なる位置で回路部４に設けたタクトスイッチ２１が上記スイッチ釦１９によって押圧可能な位置に配置される。このタクトスイッチ２１は電池３からモータ６への給電を切替制御する機能を有する。つまり、使用者はスイッチ釦１９を操作することで、回路部４のタクトスイッチ２１を介して電気かみそり器の駆動操作が可能にされている。また、後部ハウジング９の基端部にはプラグ基台２２に一体成形されたプラグ端子ピン２３が防水が施された状態で突出している。プラグ端子ピン２３は回路部４にリード線２４にて接続されている。なお、本体部１に内装した電池３は充電されて繰り返し使用できる蓄電池で構成されるのであり、このプラグ端子ピン２３にアダプタを接続することによってこの蓄電池である電池３に充電が行われるようになっている。
【００１５】
また、ヘッド部２は、図５のように、函形状のヘッド基体２５に先端側からヘッドカバー２６を被着して形成される。ヘッド基体２５は、先端側に配置したゴム押え板２７と基端側に配置した基体ケース２８とを、先端側から刃取付台２９、駆動子防水ゴム３０、Ｏリング３１を挟み込んだ状態で先端側からヘッド上ネジ３２にて締め付けることで形成されるのであり、形成されたヘッド基体２５の内部には水密的に密閉された中空状のヘッド部収納室３３が形成されている。詳しくは、基体ケース２８は先端方向ａに開口する容器状の樹脂成形品であり、刃取付台２９は上記基体ケース２８の開口に蓋をする蓋部材であり、Ｏリング３１は刃取付台２９と基体ケース２８との間に介装されてヘッド部収納室３３に水密性を備えさせる部材であり、ヘッド上ネジ３２はＯリング３４を噛ませて水密性を備えた締結構造を形成させている。更に言うと、基体ケース２８や刃取付台２９は左右方向ｃに長く前後方向ｄ，ｅに短い断面矩形状に施されている。そして、ヘッド部収納室３３にはリニアモータで構成されたモータ６が格納されている。このモータ６は基端側からＯリング３５を噛ませたヘッド下ネジ３６にて基体ケース２８に水密的に固定されている。このモータ６からはモータ駆動を出力する駆動子３７が先端方向ａに向けて突設されている。ここで、刃取付台２９及びゴム押え板２７の左右方向ｃの中央部には先端−基端方向ａ，ｂに貫通した開口３８が穿孔されており、駆動子３７はこの開口３８に挿通されてその先端がヘッド基体２５の先端側に突出されている。この開口３８にはゴム押え板２７に弾接した駆動子防水ゴム３０が配置されており、ゴム押え板２７と協働した駆動子防水ゴム３０によって駆動子３７と開口３８との間に水密構造を形成させている。
【００１６】
この駆動子３７の先端には内刃３９が装着される。つまり、内刃３９はモータ６の駆動出力を受けて駆動をする可動刃であり、左右方向ｃに摺動駆動される。ユーザーの髭の切断は上記内刃３９と固定刃である外刃４０とで構成される切断刃５にて行われる。ここで、外刃４０はヘッドカバー２６に設けられている。ヘッドカバー２６は基体ケース２８の左右端面に設けた係止部に係脱自在に取着される。係止部はヘッド部２の内方（詳しくは左右方向ｃ）に突没する着脱釦４１にて構成されている。この着脱釦４１は、通常では外側に位置するように付勢されてヘッドカバー２６を係合させるようになっているが、ユーザーがヘッド部２の内側に向けて押し込んだときには内側に傾倒してヘッドカバー２６との係合が外れるようになっている。ヘッドカバー２６をヘッド基体２５に被着したときには固定刃である外刃４０の内面に可動刃である内刃３９が摺接される。しかして、髭を切断するには、外刃４０の外面をユーザーの肌に押し当て、髭を外刃４０の内方に導入し、この導入した髭を外刃４０と摺動する内刃３９との間で挟み切るようにして行われる。
【００１７】
また、ヘッド基体２５からは基端方向ｂに突出する接続片４２が前後に一対設けられ、本体部１の先端部位には上記接続片４２が挿入係止される被接続部４３が設けられている。図３，４のように、この被接続部４３は先端方向ａに開口せる凹所状の部位であり、本体部１における本体部収納室１３の先端側に隣接して設けられている。そして、被接続部４３の前後の縦壁に接続片４２を挟持、係止させることで、ヘッド部２を本体部１の先端に少なくとも左右方向ｃに傾倒自在にして装着させている。また、モータ６と回路部４との電気的接続はモータ６の基端側から延出されたリード線４４の回路部４への接続にて行われる。具体的には、このリード線４４は防水チューブ４５に挿通されており、ヘッド部収納室３３の基端部分（底部分）と本体部収納室１３の先端部分とに穿孔されたリード線貫通孔４６にこの防水チューブ４５を水密的に挿通させることで、ヘッド部収納室３３と本体部収納室１３との水密性を確保してリード線４４にてモータ６と回路部４との電気的接続が行われている。
【００１８】
ところで、本例の電池３は充電して繰り返し使用可能な蓄電池であり、図６のような電池パック４７として使用される。この電池パック４７は、蓄電池である電池３、一端を電池３の電極３ａに接続した一対の電池側接続金具４８を内包させるように電池３の長手方向の両側から一対の電池ケース４９を被せて係合一体化させて構成されている。詳しくは、この電池パック４７は、電池３と同様に先端−基端方向ａ，ｂに長い柱状の外形を有しており、また、電池側接続金具４８の他端は電池パック４７の後部の左右の端部に位置して外部に露出されている。更に言うと、この電池側接続金具４８の他端には後述する本体側接続金具５１が嵌合されるリング部４８ａに形成されている。
【００１９】
また、図１のように、本体部１の後部を構成する後部ハウジング９には後方ｅに開口して前方ｄに凹没した電池収納凹所５０が形成されている。この電池収納凹所５０は本体部１における本体部収納室１３の後方ｅ側に隣接して設けられており、また、電池収納凹所５０は電池パック４７が隙間無く嵌め込まれるような寸法の凹形状に施されている。なお、回路部４を保持した保持基台２０には一対の棒状の本体側接続金具５１が一体成形で設けられている。この本体側接続金具５１は一端が回路部４に電気的に接続され、他端が後部ハウジング９における本体部収納室１３と電池収納凹所５０とを貫通する貫通孔５２にＯリング５３を介して挿通されて電池収納凹所５０内に突設されている。つまり、本体側接続金具５１の他端は、図７，８のように、それぞれ防水が施された状態で電池収納凹所５０内に突出されている。
【００２０】
この電池収納凹所５０に電池パック４７を嵌め込んで収納させたときには、電池パック４７の外面に位置した電池側接続金具４８のリング部４８ａに、電池収納凹所５０内に突出された棒状の本体側接続金具５１の他端が嵌め込まれるようにされる。この電池側接続金具４８と本体側接続金具５１との嵌合による連結によると、電池３と回路部４とが電気的に接続されるのであり、また電池パック４７が電池収納凹所５０に強固に収納されるのであり、更に言うと電池側接続金具４８及び本体側接続金具５１を専用品で構成させることができ、他の類似の電池３を電池収納凹所５０内に挿入しても回路部４への通電がされないようにできて電圧の異なる他の電池３によって回路部４を破壊してしまうような恐れが回避されているのである。
【００２１】
また、電池収納凹所５０の開口５０ａからの凹没深さ寸法Ｃは電池パック４７の前後の厚み寸法Ｄよりも小さく形成されている（図１１参照）。しかして、電池収納凹所５０に収納した電池パック４７は電池収納凹所５０の開口５０ａよりも後方ｅに突出している。また、電池収納凹所５０に電池パック４７を嵌め込んで収納させた後には、電池収納凹所５０の開口縁に圧接される蓋パッキン５４を介して蓋体５５がネジ５６の締め付けによって電池収納凹所５０の開口５０ａに蓋をするように被着される。上述したように電池収納凹所５０に収納した電池パック４７は電池収納凹所５０の開口５０ａから後方ｅに突出しており、この電池パック４７を覆うようにされるから、蓋体５５の形状は後方ｅに突出する突形状に形成されている。電池収納凹所５０の開口５０ａを蓋体５５で蓋をしたときには、電池収納凹所５０は蓋パッキン５４にて水密的な閉空間にされると共に、蓋体５５が電池パック４７を電池収納凹所５０の底面に押し付けて電池パック４７が位置ずれのないように強固に固定されるのである。
【００２２】
上述したように本例の電気かみそり器では、電池３を収納する電池収納凹所５０の開口５０ａを水密的に閉じる蓋体５５を着脱自在に被着しているので、電池交換をする際には蓋体５５を外せばよいものであり、つまり、従来の電気かみそり器のように電池交換をする際に本体ハウジング７の分解作業を伴うものではなく、簡単な電池交換作業が確保されている。更に言うと、電池交換にあっては上述のように本体ハウジング７の分解作業を伴わず、しかして本体部収納室１３の水密性を変わらず維持させることができたものであるから、ユーザによる不慣れな電池交換によっても確実に本体部収納室１３の水密性を維持させることができ、したがって本体部収納室１３に収納した回路部４などの浸水による破壊を確実に回避することができるのである。
【００２３】
また、本例の電池３の本体部１への着脱は、先端−基端方向ａ，ｂに長い柱状の電池パック４７を電池収納凹所５０の開口５０ａを前後方向ｄ，ｅに挿通させることで行われる。これに対して背景技術で示した図１２の電気かみそり器では電池３の長手方向と本体部１への挿通方向とが同方向の構造にされている。一般的に本体部１に電池３を収納した状態では、本体部１に何らかの衝撃が加わっても本体側の端子と電池側の端子との接続を維持して接触不良を発生させないようにするため、電池３は本体部１に位置規制して固定される。ここで、従来の図１２の電気かみそり器では上記接触不良の発生防止のために、筒状の本体部１の径方向に電池３を位置規制するようにされている。そして、このものでは電池３の本体部１への着脱は、長手方向に電池３を本体部１に挿通させるように行われるため、本体部１への電池３の接触長さが長く、本体部１に挿通している途中の電池３に上記位置規制が施されて電池３が本体部１に引っ掛かり易いものであり、電池３の本体部１への着脱はスムーズには行われ難いものであった。しかしながら、本例の電気かみそり器における電池３の本体部１への着脱は、先端−基端方向ａ，ｂに長い柱状の電池パック４７を電池収納凹所５０の開口５０ａに前後方向ｄ，ｅに挿通させることで行われるので、電池収納凹所５０への電池３の接触長さが短く、つまり電池パック４７の電池収納凹所５０への引っ掛かりが少ないものである。このように本例の電気かみそり器では電池３の本体部１への着脱を比較的容易に行わせることができるといった利点も有している。
【００２４】
また、上述したように電池収納凹所５０に電池パック４７を収納した状態では、電池パック４７が電池収納凹所５０の開口５０ａよりも後方ｅに突出していることから、蓋体５５を取り外したときには電池パック４７に自然に手をかけることができて、電池パック４７の取外しにかかる作業の容易化も図られている。
【００２５】
更に本例では、図６のように、電池収納凹所５０の開口５０ａよりも後方ｅに突出した電池パック４７の後部には後方ｅ且つ左右方向ｃに突出して指を引掛け得るようにした引掛け突起５７が突設されている。この引掛け突起５７は電池収納凹所５０からの電池パック４７の取外しを補助するいわゆる取外し支援手段を構成するものであり、本例の電気かみそり器のように電池側接続金具４８と本体側接続金具５１との接続で電池パック４７が電池収納凹所５０に強固に収納されていても、引掛け突起５７に指を引掛けることで、収納状態にある電池パック４７を電池収納凹所５０から取外すことが簡単に行えるようにされている。このように本例の電気かみそり器では、電池収納凹所５０からの電池３の取外しにかかる作業性を向上させるのに、電池ケース４９に一体に引掛け突起５７を形成させるといった簡単な構成の取外し支援手段が採用されており、つまり簡単な構成で電気かみそり器の使い勝手の向上が図られているのである。
【００２６】
図９〜１１には本発明の実施の形態の他例の電気かみそり器を示す。本例の電気かみそり器は、基本的な構造は先の実施の形態の例の電気かみそり器を踏襲しており、電池収納凹所５０からの電池パック４７の取外しを補助する取外し支援手段につき異なっている。しかして、先の実施の形態の例と同様部位には同符号を付して説明を省略し、相違する部位につき説明していく。
【００２７】
本例では、取外し支援手段として、電池パック４７と電池収納凹所５０との間に介装される取外し支援部材５８を採用している。この取外し支援部材５８は、図９のように電池収納凹所５０の奥部である底面に添わせる底板５９と、この底板５９の一端から電池収納凹所５０の側面に添わせるように突出させた側板６０とからなるＬ字板状のレバー部材である。この取外し支援部材５８は、その底板５９が電池収納凹所５０の底面に左右方向ｃに亙るように添わせて配置されるのであり、このとき、取外し支援部材５８の側板６０は上記底板５９の左右方向ｃの一端部から後方ｅ且つ基端方向ｂに斜めに突設され、その突出先端が電池収納凹所５０の開口５０ａに臨んで位置するようにされている。ここで、この側板６０の突出先端にはユーザーが操作する操作部６１が設けられている。つまり、操作部６１は電池収納凹所５０の開口５０ａに臨んで配置されている。この操作部６１はユーザーの指が引っ掛け易い形状に形成されている。また、底板５９の基端側の端部には基端方向ｂに連出した片状の作用部６２が設けられている。
【００２８】
この取外し支援部材５８は、図１１（ａ）のようにユーザーが操作部６１に指を引掛けて操作部６１を先端方向ａに押圧すると、図１１（ｂ）のように底板５９の先端側の端部５９ａを中心として取外し支援部材５８全体が先端方向ａに回動し、この取外し支援部材５８の回動によって後方ｅに浮き上がった作用部６２が電池パック４７を後方ｅに押し出し、電池側接続金具４８と本体側接続金具５１との接続を解除することができるものである。詳しくは、ユーザーが操作部６１に加えた力は作用部６２で電池パック４７に働くようにされているが、底板５９の先端側の端部５９ａを支点とする梃子の原理によって、ユーザーが操作部６１に加えた力は作用部６２で大きい力に変換されて電池パック４７に働くようになっている。このように本例の電気かみそり器では、電池パック４７と電池収納凹所５０との間に取外し支援手段としての取外し支援部材５８を配置し、この取外し支援部材５８は操作部６１への小さい力を作用部６２での大きい力に変換して電池パック４７に働かせるようにされているから、簡単な構成で且つ小さな力で電池収納凹所５０からの電池パック４７の取外しを容易に行わせることができ、電池交換作業の作業性を向上させて電気かみそり器の使い勝手の向上が図られているのである。
【図面の簡単な説明】
【００２９】
【図１】本発明の実施の形態の例の電気かみそり器における本体部の分解斜視図である。
【図２】（ａ）は同上の電気かみそり器の全体正面図であり、（ｂ）は全体側面図である。
【図３】図２（ａ）のＡ−Ａ線断面図である。
【図４】図２（ｂ）のＢ−Ｂ線断面図である。
【図５】同上の電気かみそり器におけるヘッド部の分解斜視図である。
【図６】同上の電池パックの分解斜視図である。
【図７】同上の蓋体を外した状態の本体部の後面図である。
【図８】同上の蓋体を外した状態の本体部の斜視図である。
【図９】本発明の実施の形態の他例の電気かみそり器における電池の収納構造を説明する分解斜視図である。
【図１０】同上の蓋体を外して電池を収納させた状態の本体部の斜視図である。
【図１１】同上の取外し支援部材の操作を説明するものであり、（ａ）は取外し支援部材の配設時（通常時）の断面図であり、（ｂ）は取外し支援部材の操作時の断面図である。
【図１２】従来の電気かみそり器を説明する要部の分解斜視図である。
【符号の説明】
【００３０】
１  本体部
２  ヘッド部
３  電池
４  回路部
６  モータ
７  本体ハウジング
８  前部ハウジング
９  後部ハウジング
１３  本体部収納室
４７  電池パック
４８  電池側接続金具
４９  電池ケース
５１  本体側接続金具
５０  電池収納凹所
５０ａ  開口
５５  蓋体
５７  引掛け突起
５８  取外し支援部材
６１  操作部
６２  作用部
【図１】
2005177284.tif 000003
【図２】
2005177284.tif 000004
【図３】
2005177284.tif 000005
【図４】
2005177284.tif 000006
【図５】
2005177284.tif 000007
【図６】
2005177284.tif 000008
【図７】
2005177284.tif 000009
【図８】
2005177284.tif 000010
【図９】
2005177284.tif 000011
【図１０】
2005177284.tif 000012
【図１１】
2005177284.tif 000013
【図１２】
2005177284.tif 000014